(57)【要約】【課題】従来、放送局側にて放送画面に時刻や天気予報等の文字情報を挿入している場合、これらの表示に上記チャンネル番号等のＯＳＤ表示が重なることがあり、視聴者が時刻や天気予報を見たいときにはＯＳＤ表示を消す必要があった。【解決手段】ＯＳＤ表示位置指定部９にてＯＳＤ信号生成部５からのＯＳＤ信号に基づく画像のチューナ３にて受信された所望のチャンネルの放送信号に基づく画像への重畳表示位置を指定し、この指定位置をＯＳＤ表示位置記憶部１０にて記憶すると共に、映像付加情報記憶部１１で前記放送信号にかかる特定情報を記憶する。記憶部１１に記憶された特定情報と一致する放送信号に基づく画像が表示されるとき、記憶部１０に記憶された表示位置に前記ＯＳＤ信号に基づく画像を重畳表示する。【選択図】      図１
2004297676.tif 000002
【特許請求の範囲】
【請求項１】
指定のチャンネルの放送信号を受信する手段と、ＯＳＤ信号を発生する手段と、前記受信手段により受信した放送信号に基づく画像に前記ＯＳＤ信号発生手段からのＯＳＤ信号に基づく画像を重畳表示する表示手段と、前記放送信号にかかる特定情報を記憶する第１の記憶手段と、前記ＯＳＤ信号に基づく画像の前記放送信号に基づく画像への重畳表示位置を指定する表示位置指定手段と、この表示位置指定手段により指定された位置を記憶する第２の記憶手段とを具備し、第１の記憶手段に記憶された特定情報と一致する放送信号に基づく画像が表示されるときは、前記第２の記憶手段に記憶された表示位置に前記ＯＳＤ信号に基づく画像を重畳表示するよう構成したことを特徴とするテレビジョン受像機。
【請求項２】
指定のチャンネルの放送信号を受信する手段と、ＯＳＤ信号を発生する手段と、前記受信手段により受信した放送信号に基づく画像に前記ＯＳＤ信号発生手段からのＯＳＤ信号に基づく画像を重畳表示する表示手段と、前記ＯＳＤ信号に基づく画像の前記放送信号に基づく画像への重畳表示位置を指定する表示位置指定手段と、この表示位置指定手段により指定された位置を記憶する記憶手段とを具備し、前記放送信号にかかる特定情報と一致する放送信号に基づく画像が表示されるときは、前記記憶手段に記憶された表示位置に前記ＯＳＤ信号に基づく画像を重畳表示するよう構成したことを特徴とするテレビジョン受像機。
【請求項３】
指定のチャンネルの放送信号を受信する手段と、ＯＳＤ信号を発生する手段と、前記受信手段により受信した放送信号に基づく画像に前記ＯＳＤ信号発生手段からのＯＳＤ信号に基づく画像を重畳表示する表示手段と、前記ＯＳＤ信号に基づく画像の前記放送信号に基づく画像への重畳表示位置を前記放送信号にかかる特定情報と対応させて予め記憶した記憶手段とを具備し、前記放送信号にかかる特定情報と一致する放送信号に基づく画像が表示されるときは、前記記憶手段に記憶された表示位置に前記ＯＳＤ信号に基づく画像を重畳表示するよう構成したことを特徴とするテレビジョン受像機。
【請求項４】
請求項１乃至２記載のテレビジョン受像機において、前記放送信号にかかる特定情報は、前記放送信号の前記指定のチャンネル番号及び時間帯であることを特徴とするテレビジョン受像機。
【請求項５】
請求項１乃至３記載のテレビジョン受像機において、前記放送信号にかかる特定情報は、前記放送信号のスクリーンサイズであることを特徴とするテレビジョン受像機。
【請求項６】
指定のチャンネルの放送信号を受信するステップと、ＯＳＤ信号を発生するステップと、前記受信ステップにより受信した放送信号に基づく画像に前記ＯＳＤ信号発生ステップで発生されたＯＳＤ信号に基づく画像を重畳表示するステップと、前記放送信号にかかる特定情報を記憶する第１の記憶ステップと、前記ＯＳＤ信号に基づく画像の前記放送信号に基づく画像への重畳表示位置を指定するステップと、この表示位置指定ステップにより指定された位置を記憶する第２の記憶ステップとを具備し、前記表示ステップにおいて、第１の記憶手段に記憶された特定情報と一致する放送信号に基づく画像が表示されるときは、前記第２の記憶ステップにて記憶された表示位置に前記ＯＳＤ信号に基づく画像を重畳表示するようにしたことを特徴とする画像表示方法。
【請求項７】
指定のチャンネルの放送信号を受信するステップと、ＯＳＤ信号を発生するステップと、前記受信ステップにより受信した放送信号に基づく画像に前記ＯＳＤ信号発生ステップで発生されたＯＳＤ信号に基づく画像を重畳表示するステップと、前記ＯＳＤ信号に基づく画像の前記放送信号に基づく画像への重畳表示位置を指定するステップと、この表示位置指定ステップにより指定された位置を記憶する記憶ステップとを具備し、前記表示ステップにおいて、前記放送信号にかかる特定情報と一致する放送信号に基づく画像が表示されるときは、前記記憶ステップにて記憶された表示位置に前記ＯＳＤ信号に基づく画像を重畳表示するようにしたことを特徴とする画像表示方法。
【請求項８】
請求項６乃至７記載の画像表示方法において、前記放送信号にかかる特定情報は、前記放送信号の前記指定のチャンネル番号及び時間帯であることを特徴とする画像表示方法。
【請求項９】
請求項６乃至７記載の画像表示方法において、前記放送信号にかかる特定情報は、前記放送信号のスクリーンサイズであることを特徴とする画像表示方法。
【発明の詳細な説明】
【０００１】
【発明の属する技術分野】
本発明は、テレビジョン受像機及び画像表示方法に関する。
【０００２】
【従来の技術】
現在のテレビジョン受像機では、受信した番組画面に受信チャンネルの番号や音量を重畳して表示する機能（ＯＳＤ表示機能）を有しているのが一般的である。ところで、特定のチャンネルの特定時間帯では、放送局側にて放送画面に時刻や天気予報等の文字情報を挿入している。従って、これらの表示に上記チャンネル番号や音量等のＯＳＤ表示が重なることがある。この場合、視聴者が時刻や天気予報を見たいときにはＯＳＤ表示を消す必要があり、リモコンのキースイッチ等をいちいち操作することになり煩わしい。
【０００３】
特許文献１には、字幕放送受信設定時にデータ放送を受信し表示した場合に字幕放送文字の表示位置、表示サイズを設定しデータ放送画面の文字を字幕放送の文字で隠すことがないようにしたデジタル放送表示装置が開示されている。但し、字幕放送文字の表示位置の変更は固定的であり、例えば表示画面の下部に字幕を表示するように設定されている。変更位置が固定的であるという意味では、上記従来のＯＳＤ表示と変わるところは無い。
【０００４】
【特許文献１】
特開２００３−２３５７９公報（第４頁、図２乃至図３）
【０００５】
【発明が解決しようとする課題】
上述したように、従来、特定のチャンネルの特定時間帯では、放送局側にて放送画面に時刻や天気予報等の文字情報を挿入しているため、これらの表示に上記チャンネル番号や音量等のＯＳＤ表示が重なることがあり、視聴者が時刻や天気予報を見たいときにはＯＳＤ表示を消す必要が生じ、リモコンのキースイッチ等をいちいち操作することになって煩わしいという問題があった。
【０００６】
本発明はこのような問題点を解決するためになされたもので、この発明はＯＳＤ表示の位置を表示番組の文字情報表示と重ならないよう、適切な位置にＯＳＤ表示を行わせることが出来るテレビジョン受像機及び画像表示方法を提供することを目的とする。
【０００７】
【課題を解決するための手段】
請求項１にかかるテレビジョン受像機は、指定のチャンネルの放送信号を受信する手段と、ＯＳＤ信号を発生する手段と、前記受信手段により受信した放送信号に基づく画像に前記ＯＳＤ信号発生手段からのＯＳＤ信号に基づく画像を重畳表示する表示手段と、前記放送信号にかかる特定情報を記憶する第１の記憶手段と、前記ＯＳＤ信号に基づく画像の前記放送信号に基づく画像への重畳表示位置を指定する表示位置指定手段と、この表示位置指定手段により指定された位置を記憶する第２の記憶手段とを具備し、第１の記憶手段に記憶された特定情報と一致する放送信号に基づく画像が表示されるときは、前記第２の記憶手段に記憶された表示位置に前記ＯＳＤ信号に基づく画像を重畳表示するよう構成したことを特徴とするものである。
【０００８】
請求項２にかかるテレビジョン受像機は、指定のチャンネルの放送信号を受信する手段と、ＯＳＤ信号を発生する手段と、前記受信手段により受信した放送信号に基づく画像に前記ＯＳＤ信号発生手段からのＯＳＤ信号に基づく画像を重畳表示する表示手段と、前記ＯＳＤ信号に基づく画像の前記放送信号に基づく画像への重畳表示位置を指定する表示位置指定手段と、この表示位置指定手段により指定された位置を記憶する記憶手段とを具備し、前記放送信号にかかる特定情報と一致する放送信号に基づく画像が表示されるときは、前記記憶手段に記憶された表示位置に前記ＯＳＤ信号に基づく画像を重畳表示するよう構成したことを特徴とするものである。
【０００９】
請求項３にかかるテレビジョン受像機は、指定のチャンネルの放送信号を受信する手段と、ＯＳＤ信号を発生する手段と、前記受信手段により受信した放送信号に基づく画像に前記ＯＳＤ信号発生手段からのＯＳＤ信号に基づく画像を重畳表示する表示手段と、前記ＯＳＤ信号に基づく画像の前記放送信号に基づく画像への重畳表示位置を前記放送信号にかかる特定情報と対応させて予め記憶した記憶手段とを具備し、前記放送信号にかかる特定情報と一致する放送信号に基づく画像が表示されるときは、前記記憶手段に記憶された表示位置に前記ＯＳＤ信号に基づく画像を重畳表示するよう構成したことを特徴とするものである。
【００１０】
請求項４にかかるテレビジョン受像機は、請求項１乃至２記載のテレビジョン受像機において、前記放送信号にかかる特定情報は、前記放送信号の前記指定のチャンネル番号及び時間帯であることを特徴とするものである。
【００１１】
請求項５にかかるテレビジョン受像機は、請求項１乃至３記載のテレビジョン受像機において、前記放送信号にかかる特定情報は、前記放送信号のスクリーンサイズであることを特徴とするものである。
【００１２】
請求項６にかかる画像表示方法は、指定のチャンネルの放送信号を受信するステップと、ＯＳＤ信号を発生するステップと、前記受信ステップにより受信した放送信号に基づく画像に前記ＯＳＤ信号発生ステップで発生されたＯＳＤ信号に基づく画像を重畳表示するステップと、前記放送信号にかかる特定情報を記憶する第１の記憶ステップと、前記ＯＳＤ信号に基づく画像の前記放送信号に基づく画像への重畳表示位置を指定するステップと、この表示位置指定ステップにより指定された位置を記憶する第２の記憶ステップとを具備し、前記表示ステップにおいて、第１の記憶手段に記憶された特定情報と一致する放送信号に基づく画像が表示されるときは、前記第２の記憶ステップにて記憶された表示位置に前記ＯＳＤ信号に基づく画像を重畳表示するようにしたことを特徴とするものである。
【００１３】
請求項７にかかる画像表示方法は、指定のチャンネルの放送信号を受信するステップと、ＯＳＤ信号を発生するステップと、前記受信ステップにより受信した放送信号に基づく画像に前記ＯＳＤ信号発生ステップで発生されたＯＳＤ信号に基づく画像を重畳表示するステップと、前記ＯＳＤ信号に基づく画像の前記放送信号に基づく画像への重畳表示位置を指定するステップと、この表示位置指定ステップにより指定された位置を記憶する記憶ステップとを具備し、前記表示ステップにおいて、前記放送信号にかかる特定情報と一致する放送信号に基づく画像が表示されるときは、前記記憶ステップにて記憶された表示位置に前記ＯＳＤ信号に基づく画像を重畳表示するようにしたことを特徴とするものである。
【００１４】
請求項８にかかる画像表示方法は、請求項６乃至７記載の画像表示方法において、前記放送信号にかかる特定情報は、前記放送信号の前記指定のチャンネル番号及び時間帯であることを特徴とするものである。
【００１５】
請求項９にかかる画像表示方法は、請求項６乃至７記載の画像表示方法において、前記放送信号にかかる特定情報は、前記放送信号のスクリーンサイズであることを特徴とするものである。
【００１６】
【発明の実施の形態】
以下、本発明になるテレビジョン受像機及び画像表示方法の実施の形態について図面を用いて説明する。図１は、本発明になるテレビジョン受像機の一実施の形態を示すブロック図であり、１はテレビジョン受像機本体、２はアンテナ、３はこのアンテナ２に接続されたチューナであり、４はチューナ３で受信したチャンネルの画像信号と詳細を後述するＯＳＤ信号生成部５からの出力信号を合成する表示合成部である。６はこの表示合成部４からの信号に基づき画像を表示する表示器である。
【００１７】
一方、７はテレビジョン受像機本体１の各種動作を赤外線を用いて制御するためのリモートコントローラ（以下、リモコンと称す）であり、８はリモコン７からの赤外線による送信信号を受信するためのリモコン信号受信部である。９はリモコン信号受信部８を介したリモコン７からのＯＳＤ表示位置の変更指示に基づきＯＳＤ表示位置を決定するＯＳＤ表示位置指定部、１０はＯＳＤ表示位置指定部９での指定位置を記憶するＯＳＤ表示位置記憶部であり、１１はチューナ３にて受信されたチャンネル（この受信チャンネルの指示は、リモコン７からなされる）に関する情報（例えば、チャンネル番号や時間帯（開始時間や終了時間）といった付加情報）を記憶するための映像付加情報記憶部である。
【００１８】
次に、図１のテレビジョン受像機の動作につき図２乃至図４も参照して説明する。図２は、図１の装置におけるＯＳＤ表示の表示位置の変更について説明するための表示画面の一例を示す図であり、図３は図１の装置におけるＯＳＤ表示位置の変更にかかるフローチャートである。また、図４は図１の装置におけるＯＳＤ表示の表示位置の変更について説明するための別の表示画面の一例を示す図である。
【００１９】
始めに、ＯＳＤ表示位置記憶部１０には何等、ＯＳＤ表示位置に関する情報の記憶がなされていないものと仮定して説明を進める。まず、リモコン信号受信部８を介してリモコン７から指定された受信チャンネルがチューナ３にて選局される。受信されたチャンネルの画像信号は表示合成部４に出力される。同時に、受信されたチャンネルにかかる付加情報、例えばチャンネル番号や時間帯（番組の開始／終了時間等）が映像付加情報記憶部１１に記憶される。
【００２０】
視聴者がリモコン７を用いてＯＳＤ表示をＯＮに設定すると、これがリモコン信号受信部８を介してＯＳＤ信号生成部５に伝わり、この生成部５にてチューナ３で選局されているチャンネルのチャンネル番号にかかる文字信号が発生される。そして、この文字信号が表示合成部４にて受信チャンネルにかかる映像と合成され、表示器６に表示される。この場合、ＯＳＤ表示位置記憶部１０には何等ＯＳＤ表示位置に関する情報の記憶がなされていないため、ＯＳＤ信号生成部５は図２（Ａ）に示す如く所定の位置（例えば画面右上の位置）にチャンネル番号の８をＯＳＤ表示２１として画面２２に挿入することになる。
【００２１】
ところで、このチャンネルでは放送局側で画面の左上に時刻２３を、画面の右上に地域ごとの天気予報２４を表示しており、天気予報２４が上記チャンネル番号のＯＳＤ表示２１で隠れてしまっている状態にある。そこで、視聴者は、リモコン７からＯＳＤ表示２１の位置の移動を指示する。この指示はリモコン信号受信部８を介してＯＳＤ表示位置指定部９に伝わり、（表示）位置情報に変換される。この情報は、ＯＳＤ表示位置記憶部１０に記憶されると共に、ＯＳＤ信号生成部５に伝わり、表示合成部４におけるＯＳＤ信号の挿入位置が変更される。よって、表示器６では、図２（Ｂ）の如くチャンネル番号を示すＯＳＤ表示２１が例えば画面右下に位置する画面２５が表示されることになる。
【００２２】
なお、位置情報のＯＳＤ表示位置記憶部１０への記憶は、映像付加情報記憶部１１からの記憶チャンネル情報及び時間帯情報に従い、指定された記憶領域に記憶される（記憶チャンネル情報及び時間帯情報とＯＳＤ表示位置とのテーブルが作成される）。
【００２３】
テレビジョン受像機の電源がＯＦＦとされて表示器６の画像表示がなされなくなった（図２（Ｃ）参照）後、例えば翌日に再び電源が入り、先と同一の番組を視聴するとする。先と同様、受信されたチャンネルにかかる付加情報、すなわちチャンネル番号及び時間帯（番組の開始／終了時間等）が映像付加情報記憶部１１に記憶される。ＯＳＤ表示位置記憶部１０では、映像付加情報記憶部１１に記憶されている受信チャンネルにかかる付加情報を読み出し、自身の記憶領域から対応するチャンネル番号及び時間帯と一致するＯＳＤ表示位置情報をＯＳＤ信号生成部５に出力する。
【００２４】
ＯＳＤ信号生成部５では、指定されたＯＳＤ表示内容を上記記憶されているＯＳＤ表示位置情報に基づく位置に表示するべくＯＳＤ信号を生成し、これを表示合成部４に送ることになる。表示合成部４で合成された放送信号に基づく映像信号と上記ＯＳＤ信号は、表示器６で表示され、その画面は図２（Ｄ）に示す如くチャンネル番号が右下に表示され（図２（Ｂ）と同じ）、右上に表示される天気予報を隠さない形となる。
【００２５】
なお、上述した実施の形態においては、電源のＯＮにてＯＳＤ表示位置記憶部１０に記憶されているテーブルを参照し、受信チャンネルにかかる付加情報に対応したＯＳＤ表示位置情報を読み出すとして説明したが、これはチャンネルが切り換えられるたびにおいても行なうことが適当である。
【００２６】
図３に上述したＯＳＤ表示位置の変更動作にかかるフローチャートを示し、簡単に説明する。最初に、受像機本体１の電源がＯＮされたか否かがチェックされる（ステップＳ１）。ＯＮされればステップＳ２に移り、入力映像付加情報記憶部１１に選局されているチャンネルにかかる付加情報を記憶する。ＯＮされなければステップＳ１を繰り返す。ステップＳ２での動作がなされた後は、上記記憶部１１に記憶された付加情報に対応する表示位置情報がＯＳＤ表示位置記憶部１０に記憶されているか否かがチェックされる（ステップＳ３）。記憶されていれば、ステップＳ４に進み、記憶部１０に記憶されている表示位置情報に基づきＯＳＤ信号を生成し（ステップＳ４）、ＯＳＤ信号を放送信号と表示合成部４にて合成して表示器６にて表示することになる（ステップＳ５）。
【００２７】
一方、ステップＳ３で表示位置情報が記憶されていなければ（ステップＳ３でＮＯ）、視聴者によるＯＳＤ表示の表示位置の変更指示がなされたかがチェックされ（ステップＳ６）、ＹＥＳであれば変更されたＯＳＤ表示位置を記憶部１０に記憶する（ステップＳ７）。そして上述したステップＳ４に移る。ステップＳ６にてＮＯである場合は、直接ステップＳ４に移行する。ステップＳ５での合成表示後には、視聴者によるチャンネルの切換有無がチェックされ（ステップＳ８）、切換があればステップＳに戻り、そうでなければ電源のＯＦＦ操作がチェックされる（ステップＳ９）。ＯＦＦとされれば終了し、そうでなければステップＳ８に戻り、再びチャンネル切換がチェックされる。
【００２８】
なお、ステップＳ６でＮＯの場合、記憶部１０に位置情報は記憶されないが、この場合はＯＳＤ表示位置が既定位置（例えば、画面右上）になるようＯＳＤ信号生成部５にて表示位置が設定される。
【００２９】
上述した実施の形態によれば、ＯＳＤ表示の位置を表示番組の文字情報表示と重ならないように変更した場合の変更位置を記憶させることで、以降の同一番組の表示においては、リモコンによる表示位置の変更操作なしに自動的に適切な位置にＯＳＤ表示を行わせることが出来る。なお、ここで同一番組とは同一のチャンネルの同一時間帯の番組のことを示している。
【００３０】
次に放送局から送られてくる番組の画面サイズが４：３の如き、ワイド画面のテレビジョン受像機で表示すると両側に余白が出来るような場合について、装置１の動作を図３を参照して説明する。図３（Ａ）は、画面右上に天気予報にかかる表示３１がなされる放送画面３２において、チャンネル番号の表示３３が天気予報表示３１を隠してしまっている状態を示している。なお、３４は放送画面の時刻表示であり、３５は画面中央下部に重畳表示されたＯＳＤ表示の１つである音量表示である。また、３６、３７はワイド画面に４：３の画像を４：３のまま表示することにより生じた余白部（無信号部）である。
【００３１】
この場合、図３（Ｂ）の画面３８に示すように、視聴者はリモコン７を用いてチャンネル表示３３を余白部３６に、音量表示３５を余白部３７に移動させて表示できる。この場合も先の図２にて説明したと同様の動作により、テレビジョン受像機の電源がＯＦＦとされて表示器６の画像表示がなされなくなった（図３（Ｃ）参照）後、例えば翌日に再び先と同一の番組を視聴するとすると、図３（Ｂ）と同様のチャンネル番号表示が右余白部３６に表示され、音量表示３５が左余白部３７に表示された画面４０が表示されることになる。
【００３２】
なお、装置側にて４：３の画像を４：３のまま表示する場合は、ＯＳＤ表示位置記憶部１０のスクリーンサイズ情報に対応した記憶領域に上記余白部におけるＯＳＤ表示位置情報をあらかじめ記憶させておくことも出来る（スクリーンサイズ情報とＯＳＤ表示位置情報との対応テーブルを作成）。そして、受信されたチャンネルにかかる付加情報としてスクリーンサイズを映像付加情報記憶部１１に記憶するようにすれば、この記憶部１１での記憶内容に基づいて、ＯＳＤ表示位置記憶部１０では、自身の記憶領域のテーブルを参照してスクリーンサイズ情報と対応するＯＳＤ表示位置情報をＯＳＤ信号生成部５に出力することが出来る。これにより、視聴者がリモコン７を用いて指示することなく自動的に左右の余白部３６、３７にＯＳＤ表示を行なうことが可能となる。
【００３３】
本発明は上述した実施の形態に限定されるものではなく、発明の趣旨を逸脱しない範囲で種々さまざまに変更が可能であることは言うまでも無い。
【００３４】
【発明の効果】
以上説明したように、この発明によれば、ＯＳＤ表示の位置を表示番組の文字情報表示と重ならないよう、適切な位置にＯＳＤ表示を行わせることが出来るテレビジョン受像機及び画像表示方法を提供することが出来る。
【図面の簡単な説明】
【図１】本発明になるテレビジョン受像機の一実施の形態を示すブロック図。
【図２】図１の装置におけるＯＳＤ表示の表示位置の変更について説明するための表示画面の一例を示す図。
【図３】図１の装置におけるＯＳＤ表示の表示位置の変更について説明するためのフローチャート。
【図４】図１の装置におけるＯＳＤ表示の表示位置の変更について説明するための別の表示画面の一例を示す図。
【符号の説明】
１…テレビジョン受像機本体
３…チューナ
４…表示合成部
５…ＯＳＤ信号生成部
６…表示器
７…リモコン
９…ＯＳＤ表示位置指定部
１０…ＯＳＤ表示位置記憶部
１１…映像付加情報記憶部
【図１】
2004297676.tif 000003
【図２】
2004297676.tif 000004
【図３】
2004297676.tif 000005
【図４】
2004297676.tif 000006